(57)【要約】【課題】  被写体を誘導することができ、または、所定の構図で撮影することができる撮影装置および撮影プログラムを実現する。【解決手段】  移動指示用ＬＥＤ５ａ〜５ｄは、上下左右に１つずつデジタルカメラ１の前面に設けられており、矢印型の透過パネルを通して点灯する。セルフタイマ撮影などにおいて、例えば、被写体の位置が構図に対して右寄りに位置する場合には、移動指示用ＬＥＤ５ｄを点灯させて左へ移動するように指示する。また、被写体の位置が構図に対して左奥に位置する場合には、移動指示用ＬＥＤ５ｂ，５ｃを点灯させて右手前へ移動するように指示する。あるいは、被写体の位置が構図に対して、左右方向がＯＫであるが前寄りに位置する場合には、移動指示用ＬＥＤ５ｂ，５ｄを点滅させるとともに、移動指示用ＬＥＤ５ａを点灯させて後方へ移動するように指示する。【選択図】  図１
2005167789.tif 000002
【特許請求の範囲】
【請求項１】
被写体を撮影する撮影手段と、
前記撮影手段による撮影範囲内における被写体の現在位置を特定する位置特定手段と、
前記位置特定手段により特定された被写体の現在位置と、前記撮影手段による撮影範囲内における被写体の撮影位置とに基づいて、前記被写体に対して移動方向を指示する移動方向指示手段と
を具備することを特徴とする撮影装置。
【請求項２】
前記撮影手段による撮影範囲内における被写体の撮影位置を示す複数の構図情報を記憶する構図情報記憶手段と、
前記構図記憶手段に記憶されている前記複数の構図情報の中からいずれか１つを選択する構図選択手段とを具備し、
前記移動方向指示手段は、前記位置特定手段により特定された被写体の現在位置と、前記構図選択手段により選択された構図情報とに基づいて、前記被写体に対して移動方向を指示することを特徴とする請求項１記載の撮影装置。
【請求項３】
前記撮影手段による撮影範囲内における任意の位置を被写体の撮影位置として指示する撮影位置指示手段を具備し、
前記移動方向指示手段は、前記位置特定手段により特定された被写体の現在位置と、前記撮影位置指示手段により指示された被写体の撮影位置とに基づいて、前記被写体に対して移動方向を指示することを特徴とする請求項１記載の撮影装置。
【請求項４】
前記位置特定手段により特定された被写体の現在位置と、前記撮影手段による撮影範囲内における被写体の撮影位置とに基づいて、前記被写体の前記撮影位置への移動が完了したか否かを判別する判別手段を具備することを特徴とする請求項１乃至３のいずれかに記載の撮影装置。
【請求項５】
前記判別手段により前記被写体の撮影位置への移動が完了したことが判別された場合、前記撮影手段による撮影を実行する撮影制御手段を具備することを特徴とする請求項４記載の撮影装置。
【請求項６】
前記撮影制御手段は、前記判別手段により前記被写体の撮影位置への移動が完了したことが判別されてから、所定時間経過後に前記撮影手段による撮影を実行することを特徴とする請求項５記載の撮影装置。
【請求項７】
前記判別手段により前記被写体の撮影位置への移動が完了したことが判別された場合、移動が完了した旨を前記被写体に報知する報知手段を具備することを特徴とする請求項４乃至６のいずれかに記載の撮影装置。
【請求項８】
ユーザによる所定の操作から一定時間経過後に前記撮影手段による撮影を実行するセルフタイマ撮影手段を具備することを特徴とする請求項１乃至７のいずれかに記載の撮影装置。
【請求項９】
前記移動方向指示手段は、少なくとも移動４方向に対応するように当該装置の前面に配設された複数の矢印型発光手段、または少なくとも移動４方向に対応するように当該装置の前面のレンズ周囲に環状に配設された環状発光手段、または当該装置の前面に配設された移動方向を文字表示する文字表示手段、または移動方向を音声出力する音声出力手段のうち少なくとも１つを含むことを特徴とする請求項１乃至８のいずれかに記載の撮影装置。
【請求項１０】
被写体を撮影する撮影手段と、
前記撮影手段による撮影範囲内における被写体の現在位置を特定する位置特定手段と、
前記撮影手段による撮影範囲内における被写体の撮影位置を指定する撮影位置指定手段と、
前記位置特定手段により特定された被写体の現在位置と、前記撮影位置指定手段により指定された被写体の撮影位置とに基づいて、前記被写体が前記撮影位置指定手段により指定された被写体の撮影位置への移動が完了したか否かを判別する判別手段と、
前記判別手段により前記被写体の移動が完了したことが判別された場合、前記撮影手段による撮影を実行する撮影制御手段と
を具備することを特徴とする撮影装置。
【請求項１１】
前記撮影位置指定手段は、
前記撮影手段による撮影範囲内における被写体の撮影位置を示す複数の構図情報を記憶する構図情報記憶手段と、
前記構図記憶手段に記憶されている前記複数の構図情報の中からいずれか１つを選択する構図選択手段とを具備し、
前記判別手段は、前記位置特定手段により特定された被写体の現在位置と、前記構図選択手段により選択された構図情報とに基づいて、被写体の撮影位置への移動が完了したか否かを判別することを特徴とする請求項１０記載の撮影装置。
【請求項１２】
撮影手段による撮影範囲内における被写体の現在位置を特定する位置特定ステップと、
前記被写体の現在位置と前記撮影手段による撮影範囲内における被写体の撮影位置とに基づいて、前記被写体に対して移動方向を指示する移動方向指示ステップと
を含むことを特徴とする撮影プログラム。
【請求項１３】
撮影手段による撮影範囲内における被写体の現在位置を特定する位置特定ステップと、
前記被写体の撮影位置を指定する撮影位置指定ステップと、
前記被写体の現在位置と前記被写体の撮影位置とに基づいて、前記被写体の撮影位置への移動が完了したか否かを判別する判別ステップと、
前記被写体の移動が完了したことが判別された場合、撮影を実行する撮影ステップと
を含むことを特徴とする撮影プログラム。
【発明の詳細な説明】
【技術分野】
【０００１】
本発明は、銀塩カメラ、デジタルカメラなどに係り、特に、セルフタイマ撮影等の自動撮影時に所望する構図で撮影するための撮影装置および撮影プログラムに関する。
【背景技術】
【０００２】
従来より、銀塩カメラ、デジタルカメラ（以下、カメラという）では、シャッタボタンを押下してから１０秒後とか２０秒後に撮影したり、３枚連続でセルフタイマ撮影（トリプルセルフタイマ）するという自動撮影機能を有するものがある。
また、被写体の顔や手足などを認識し、被写体の特定動作（ポーズ）を認識した場合に、自動的にシャッタを切る技術が知られている（例えば特許文献１参照）。該従来技術では、被写体の特定動作を認識した時点で自動的にシャッタを切るので、撮影者は余裕を持って撮影位置に移動することができる。
【０００３】
【特許文献１】特開平２００２−１２２９３４号公報
【発明の開示】
【発明が解決しようとする課題】
【０００４】
しかしながら、従来のセルフタイマー等の自動撮影にあっては、撮影者はスルー画像（ファインダー）を通して、撮影したい構図を決め、自分の立ち位置を認識した後、シャッターボタンを押下して、実際にその位置に移動していたが、自分が構図のどの位置に立っているのかを客観的に認識することができないため、前後左右に試行錯誤で移動するなどして構図に合致する位置に「勘」で合わせなければならないという問題点があった。
また、自分が構図のどの位置に立てばよいのか、忘れてしまった場合には、カメラのある場所に戻って、再度自分の立ち位置を確認しなければならないという問題点があった。
また、撮影者は、「勘」で自分の立ち位置を合わせていたため、頭が切れたり、足が切れたりと、所定の構図で撮影することが難しいという問題点があった。
さらに、このような問題は、上記した特許文献に開示されている技術によっても解決できるというものではなかった。
【０００５】
そこで本発明は、被写体を誘導することができ、または、所定の構図で撮影することができる撮影装置および撮影プログラムを提供することを目的とする。
【課題を解決するための手段】
【０００６】
上記目的達成のため、請求項１記載の発明による撮影装置は、被写体を撮影する撮影手段と、前記撮影手段による撮影範囲内における被写体の現在位置を特定する位置特定手段と、前記位置特定手段により特定された被写体の現在位置と、前記撮影手段による撮影範囲内における被写体の撮影位置とに基づいて、前記被写体に対して移動方向を指示する移動方向指示手段とを具備することを特徴とする。
【０００７】
また、好ましい態様として、例えば請求項２記載のように、請求項１記載の撮影装置において、前記撮影手段による撮影範囲内における被写体の撮影位置を示す複数の構図情報を記憶する構図情報記憶手段と、前記構図記憶手段に記憶されている前記複数の構図情報の中からいずれか１つを選択する構図選択手段とを具備し、前記移動方向指示手段は、前記位置特定手段により特定された被写体の現在位置と、前記構図選択手段により選択された構図情報とに基づいて、前記被写体に対して移動方向を指示するようにしてもよい。
【０００８】
また、好ましい態様として、例えば請求項３記載のように、請求項１記載の撮影装置において、前記撮影手段による撮影範囲内における任意の位置を被写体の撮影位置として指示する撮影位置指示手段を具備し、前記移動方向指示手段は、前記位置特定手段により特定された被写体の現在位置と、前記撮影位置指示手段により指示された被写体の撮影位置とに基づいて、前記被写体に対して移動方向を指示するようにしてもよい。
【０００９】
また、好ましい態様として、例えば請求項４記載のように、請求項１乃至３のいずれかに記載の撮影装置において、前記位置特定手段により特定された被写体の現在位置と、前記撮影手段による撮影範囲内における被写体の撮影位置とに基づいて、前記被写体の前記撮影位置への移動が完了したか否かを判別する判別手段を具備するようにしてもよい。
【００１０】
また、好ましい態様として、例えば請求項５記載のように、請求項４記載の撮影装置において、前記判別手段により前記被写体の撮影位置への移動が完了したことが判別された場合、前記撮影手段による撮影を実行する撮影制御手段を具備するようにしてもよい。
【００１１】
また、好ましい態様として、例えば請求項６記載のように、請求項５記載の撮影装置において、前記撮影制御手段は、前記判別手段により前記被写体の移動が完了したことが判別されてから、所定時間経過後に前記撮影手段による撮影を実行するようにしてもよい。
【００１２】
また、好ましい態様として、例えば請求項７記載のように、請求項４乃至６のいずれかに記載の撮影装置において、前記判別手段により前記被写体の撮影位置への移動が完了したことが判別された場合、移動が完了した旨を前記被写体に報知する報知手段を具備するようにしてもよい。
【００１３】
また、好ましい態様として、例えば請求項８記載のように、請求項１乃至７のいずれかに記載の撮影装置において、ユーザによる所定の操作から一定時間経過後に前記撮影手段による撮影を実行するセルフタイマ撮影手段を具備するようにしてもよい。
【００１４】
また、好ましい態様として、例えば請求項９記載のように、請求項１乃至８のいずれかに記載の撮影装置において、前記移動方向指示手段は、少なくとも移動４方向に対応するように当該装置の前面に配設された複数の矢印型発光手段、または少なくとも移動４方向に対応するように当該装置の前面のレンズ周囲に環状に配設された環状発光手段、または当該装置の前面に配設された移動方向を文字表示する文字表示手段、または移動方向を音声出力する音声出力手段のうち少なくとも１つを含むようにしてもよい。
【００１５】
また、上記目的達成のため、請求項１０記載の発明による撮影装置は、被写体を撮影する撮影手段と、前記撮影手段による撮影範囲内における被写体の現在位置を特定する位置特定手段と、前記撮影手段による撮影範囲内における被写体の撮影位置を指定する撮影位置指定手段と、前記位置特定手段により特定された被写体の現在位置と、前記撮影位置指定手段により指定された被写体の撮影位置とに基づいて、前記被写体が前記撮影位置指定手段により指定された被写体の撮影位置への移動が完了したか否かを判別する判別手段と、前記判別手段により前記被写体の移動が完了したことが判別された場合、前記撮影手段による撮影を実行する撮影制御手段とを具備することを特徴とする。
【００１６】
また、好ましい態様として、例えば請求項１１記載のように、請求項１０記載の撮影装置において、前記撮影位置指定手段は、前記撮影手段による撮影範囲内における被写体の撮影位置を示す複数の構図情報を記憶する構図情報記憶手段と、前記構図記憶手段に記憶されている前記複数の構図情報の中からいずれか１つを選択する構図選択手段とを具備し、前記判別手段は、前記位置特定手段により特定された被写体の現在位置と、前記構図選択手段により選択された構図情報とに基づいて、被写体の撮影位置への移動が完了したか否かを判別するようにしてもよい。
【００１７】
また、上記目的達成のため、請求項１２記載の発明による撮影プログラムは、撮影手段による撮影範囲内における被写体の現在位置を特定する位置特定ステップと、前記被写体の現在位置と前記撮影手段による撮影範囲内における被写体の撮影位置とに基づいて、前記被写体に対して移動方向を指示する移動方向指示ステップとを含むことを特徴とする。
【００１８】
また、上記目的達成のため、請求項１３記載の発明による撮影プログラムは、撮影手段による撮影範囲内における被写体の現在位置を特定する位置特定ステップと、前記被写体の撮影位置を指定する撮影位置指定ステップと、前記被写体の現在位置と前記被写体の撮影位置とに基づいて、前記被写体の撮影位置への移動が完了したか否かを判別する判別ステップと、前記被写体の移動が完了したことが判別された場合、撮影を実行する撮影ステップとを含むことを特徴とする。
【発明の効果】
【００１９】
請求項１記載の発明によれば、位置特定手段により、撮影手段による撮影範囲内における被写体の現在位置を特定し、移動方向指示手段により、前記位置特定手段により特定された被写体の現在位置と、前記撮影手段による撮影範囲内における被写体の撮影位置とに基づいて、前記被写体に対して移動方向を指示するようにしたので、被写体を撮影位置へ誘導することができるという利点が得られる。
【００２０】
また、請求項２記載の発明によれば、前記撮影手段による撮影範囲内における被写体の撮影位置を示す複数の構図情報を構図情報記憶手段に記憶しておき、構図選択手段により、前記複数の構図情報の中からいずれか１つを選択し、前記移動方向指示手段により、前記位置特定手段により特定された被写体の現在位置と、前記構図選択手段により選択された構図情報とに基づいて、前記被写体に対して移動方向を指示するようにしたので、選択した構図に合致する撮影位置へ被写体を誘導することができるという利点が得られる。
【００２１】
また、請求項３記載の発明によれば、撮影位置指示手段により、前記撮影手段による撮影範囲内における任意の位置を被写体の撮影位置として指示し、前記移動方向指示手段により、前記位置特定手段により特定された被写体の現在位置と、前記撮影位置指示手段により指示された被写体の撮影位置とに基づいて、前記被写体に対して移動方向を指示するようにしたので、指示した撮影位置へ被写体を誘導することができるという利点が得られる。
【００２２】
また、請求項４記載によれば、判別手段により、前記位置特定手段により特定された被写体の現在位置と、前記撮影手段による撮影範囲内における被写体の撮影位置とに基づいて、前記被写体の前記撮影位置への移動が完了したか否かを判別するようにしたので、所定の構図に合致しているかを容易に判別することができるという利点が得られる。
【００２３】
また、請求項５記載の発明によれば、前記判別手段により前記被写体の撮影位置への移動が完了したことが判別された場合、前記撮影制御手段により、前記撮影手段による撮影を実行するようにしたので、所定の構図で容易に撮影することができるという利点が得られる。
【００２４】
また、請求項６記載の発明によれば、前記撮影制御手段により、前記判別手段により前記被写体の移動が完了したことが判別されてから、所定時間経過後に前記撮影手段による撮影を実行するようにしたので、所定の構図で容易に撮影することができるとともに、構図に合致してから撮影のためのポーズをとったり、心の準備をすることができるという利点も得られる。
【００２５】
また、請求項７記載の発明によれば、前記判別手段により前記被写体の撮影位置への移動が完了したことが判別された場合、報知手段により、移動が完了した旨を前記被写体に報知するようにしたので、構図に合致しているかを被写体に知らせることができるため、所定の構図で容易に撮影することができるという利点が得られる。
【００２６】
また、請求項８記載によれば、セルフタイマ撮影手段により、ユーザによる所定の操作から一定時間経過後に前記撮影手段による撮影を実行するようにしたので、通常のセルフタイマ撮影で、被写体を撮影位置へ誘導することができ、また、所定の構図で容易に撮影することができるという利点が得られる。
【００２７】
また、請求項９記載によれば、前記移動方向指示手段は、少なくとも移動４方向に対応するように当該装置の前面に配設された複数の矢印型発光手段、または少なくとも移動４方向に対応するように当該装置の前面のレンズ周囲に環状に配設された環状発光手段、または当該装置の前面に配設された移動方向を文字表示する文字表示手段、または移動方向を音声出力する音声出力手段のうち少なくとも１つを含むようにしたので、被写体を撮影位置へ容易に誘導することができ、また、所定の構図で容易に撮影することができるという利点が得られる。
【００２８】
また、請求項１０記載の発明によれば、位置特定手段により、撮影手段による撮影範囲内における被写体の現在位置を特定し、撮影位置指定手段により、前記撮影手段による撮影範囲内における被写体の撮影位置を指定し、判別手段により、前記被写体の現在位置と、前記被写体の撮影位置とに基づいて、前記被写体が前記被写体の撮影位置への移動が完了したか否かを判別し、前記被写体の移動が完了したことが判別された場合、撮影制御手段により、前記撮影手段による撮影を実行するようにしたので、指定した構図に合致する撮影位置へ被写体を誘導することができ、また、指定した構図で容易に撮影することができるという利点が得られる。
【００２９】
また、請求項１１記載によれば、前記撮影手段による撮影範囲内における被写体の撮影位置を示す複数の構図情報を構図情報記憶手段に記憶しておき、構図選択手段により、前記複数の構図情報の中からいずれか１つを選択し、前記判別手段により、前記被写体の現在位置と、前記選択された構図情報とに基づいて、被写体の撮影位置への移動が完了したか否かを判別するようにしたので、選択した構図に合致する撮影位置へ被写体を誘導することができ、また、選択した構図で容易に撮影することができるという利点が得られる。
【００３０】
また、請求項１２記載の発明によれば、位置特定ステップで、撮影手段による撮影範囲内における被写体の現在位置を特定し、移動方向指示ステップで、前記被写体の現在位置と前記撮影手段による撮影範囲内における被写体の撮影位置とに基づいて、前記被写体に対して移動方向を指示するようにしたので、被写体を撮影位置へ誘導することができ、かつ、構図に合致していない場合、どちらへ移動すればよいかを容易に知らせることができるため、所望する構図で容易に撮影することができるという利点が得られる。
【００３１】
また、請求項１３記載の発明によれば、位置特定ステップで、撮影手段による撮影範囲内における被写体の現在位置を特定し、撮影位置指定ステップで、前記被写体の撮影位置を指定し、判別ステップで、前記被写体の現在位置と前記被写体の撮影位置とに基づいて、前記被写体の撮影位置への移動が完了したか否かを判別し、撮影ステップで、前記被写体の移動が完了したことが判別された場合、撮影を実行するようにしたので、指定した構図に合致する撮影位置へ被写体を誘導することができ、また、指定した構図で容易に撮影することができるという利点が得られる。
【発明を実施するための最良の形態】
【００３２】
以下、本発明の実施の形態を、図面を参照して説明する。
【００３３】
Ａ．実施形態の構成
図１は、本発明の実施形態によるデジタルカメラの外観を示す正面図である。図において、デジタルカメラ１の前面には、レンズ２、フラッシュ３、ファインダ４、移動指示用ＬＥＤ５ａ，５ｂ，５ｃ，５ｄが配置されている。また、デジタルカメラ１の上面には、シャッタボタン６が配設されている。レンズ２は、複数のレンズ群からなり、外部光を集光し、内部に設けられたＣＣＤ上に結像する。フラッシュ３は、露光不足等に自動発光する。ファインダ４は、本体背面から撮影者が被写体の位置や構図を確認するために用いられる。シャッタボタン６は、撮影を指示する。
【００３４】
移動指示用ＬＥＤ５ａ〜５ｄは、上下左右に１つずつ設けられており、それぞれ矢印型の透過パネルを通して発光するようになっている。該移動指示用ＬＥＤ５ａ〜５ｄは、セルフタイマ撮影などにおいて、予め選択された構図情報に従って、被写体に対して、被写体の立ち位置を指示するようになっている。なお、立ち位置の指示方法については後述する。
【００３５】
本実施形態のデジタルカメラ１は、図２（ａ）〜（ｅ）に示すように、撮影フレームに対する被写体の立ち位置やズーム度合いなどを明示した構図を示す複数の構図情報を記憶している。例えば、図２（ａ）は、被写体の顔をアップで中央に入れて撮影する際に用いる構図情報である。また、図２（ｂ）は、被写体の上半身を中央に入れて撮影する際に用いる構図情報である。また、図２（ｃ）は、被写体の全身を中央に入れて撮影する際に用いる構図情報である。図２（ｄ）は、被写体の上半身を左端に入れて風景とともに撮影する際に用いる構図情報である。さらに、図２（ｅ）は、被写体の上半身を右端に入れて風景とともに撮影する際に用いる構図情報である。本実施形態では、これら構図情報を用いて撮影する機能を、ベストショット機能という。
【００３６】
セルフ撮り（自分撮り）の場合において、撮影者は、予め、所望する構図に合致する構図情報を選択しておく。撮影時には、ＣＣＤ上に結像した画像がそのまま図示しないカメラ背面に設けられている表示部（液晶表示部）にスルー表示されるとともに、上記選択された構図情報が表示部に表示されているスルー画上に重ねて表示される。撮影者は、カメラを所望の方向（背景）へ向け、構図情報に合致するように、被写体の立ち位置と風景（背景）との位置関係を考慮してズームなどを調整して、シャッタボタンを押下する。その後、撮影者（＝被写体）は、立ち位置に移動する。従来であれば、このとき、撮影者、すなわち被写体は、自分の立ち位置がわからないため、自分が構図に合致する位置に立っているのかがわからず、「勘」で合わせるしかなかった。これに対して、本実施形態では、上述した撮影時に、被写体の顔や手足などを認識して被写体の撮影フレーム内での位置を判別し、被写体が選択した構図情報に合致するように、被写体に対してデジタルカメラの前面に設けられた移動指示用ＬＥＤ５ａ〜５ｄを点灯して移動方向（前後左右、斜め方向）を指示するようになっている。このため、被写体を構図に合致する立ち位置に誘導することができる。また、被写体の立ち位置が構図に合致したら撮影するので、容易に所定の構図で撮影することができる。なお、本実施形態では、構図情報として、１人の被写体についてのみ説明しているが、これに限らず、２人、３人、４人などと複数の被写体の立ち位置を判別して撮影できるようにしてもよい。
【００３７】
次に、図３は、本実施形態によるデジタルカメラの構成を示すブロック図である。画像取得部１０は、レンズ１１、シャッタ１２、ＬＰＦ１３からなる。レンズ１１は、通常の光学レンズであり、非球面レンズを重ねたレンズ群からなる。シャッタ１２は、シャッタボタン６が操作されると、制御部２０によって駆動されるドライバ１４により動作する、所謂メカニカルシャッタである。なお、デジタルカメラによっては、メカニカルシャッタを備えない場合もあり、沈胴式のレンズ構造、メカニカルズームを搭載する機種の場合、これらの駆動制御もドライバ１４で行なう。ＬＰＦ１３は、水晶ローパスフィルタであり、モアレの発生を防ぐために搭載されている。
【００３８】
次に、アナログ信号処理部１５は、撮像センサ（ＣＣＤ，ＣＭＯＳ）１６、サンプリング／信号増幅処理部１７、Ａ／Ｄコンバータ１８からなる。撮像センサ１６は、被写体画像（イメージ）を結像し、ＲＧＢの各色の光の強さを、電流値に変換する。サンプリング／信号増幅処理部１７は、ノイズや色むらを抑えるための相関二重サンプリング処理や信号増幅処理を行なう。Ａ／Ｄコンバータ１８は、アナログフロントエンドとも呼ばれ、サンプリング・増幅したアナログ信号をデジタル信号に変換する（ＲＧＢ，ＣＭＹＧ各色について１２ｂｉｔデータに変換してバスラインに出力する）。
【００３９】
次に、制御部（ＣＰＵ）２０は、後述するプログラムメモリ格納されるプログラムに基づいてデジタルカメラ（撮像装置）の全体を制御する。特に、本実施形態では、セルフタイマ撮影において、画像取得部１０およびアナログ信号処理部１５により取り込んだ画像データから、画像認識処理や測距技術、ＧＰＳ技術などにより、撮影フレーム内における被写体の現在位置を特定する（位置特定手段に相当する）。また、制御部２０は、セルフタイマ撮影に先立ってユーザ操作により選択された構図情報で示される被写体の撮影位置に、特定された被写体の現在位置が合致するように、後述するＬＥＤドライバ３５を介して、移動指示用ＬＥＤ５ａ〜５ｄの発光を制御し、被写体に対して移動方向を指示する（移動方向指示手段に相当する）。
【００４０】
また、制御部２０は、上記構図情報で示される被写体の撮影位置への被写体の移動が完了したか否かを判別し（判別手段に相当する）、被写体の移動が完了した場合、移動が完了した旨、すなわち構図に合致した旨を、後述するＬＥＤドライバ３５を介して、移動指示用ＬＥＤ５ａ〜５ｄの発光を制御して被写体に報知する（移動完了報知手段に相当する）。また、制御部２０は、上記移動完了を報知し、所定時間経過した後、画像取得部１０およびアナログ信号処理部１５による撮影を実行する（撮影制御手段に相当する）。但し、セルフタイマ時間（以下、一定時間という）内に被写体の移動が完了しなかった場合、すなわち被写体の立ち位置が所望する構図に合致しなかった場合であっても、セルフタイマ時間がタイムアップした時点で、画像取得部１０およびアナログ信号処理部１５による撮影を実行するようになっている。
【００４１】
タイマ２１は、セルフタイマ撮影時におけるセルフタイマ時間（例えば、５〜１０秒などの一定時間）を計時するセルフタイマ、およびセルフタイマ撮影時において構図合致から撮影までの時間（例えば、２、３秒などの所定時間）を計時するタイマからなる。プレビューエンジン２２は、録画モード（記録モード、撮影モードともいう）において、画像取得部１０、アナログ信号処理部１５を介して入力されたデジタルデータ、もしくはシャッタ操作検出直後、イメージバッファ２６に格納されたデジタルデータ、および、画像メモリ３１に格納されたデジタルデータを表示部２５に表示させるために間引き処理を行なう。
【００４２】
Ｄ／Ａコンバータ２３は、プレビューエンジン２２により間引き処理されたデジタルデータを変換し、後段のドライバ２４に出力する。ドライバ２４は、後段の表示部２５に表示されるデジタルデータを一時記憶するバッファ領域を備え、キー操作部２７、制御部２０を介して入力された制御信号に基づいて表示部２５を駆動させる。表示部２５は、カラーＴＦＴ液晶や、ＳＴＮ液晶などからなり、プレビュー画像や、撮影後の画像データ、設定メニューなどを表示する。
【００４３】
イメージバッファ２６は、アナログ信号処理部１５、もしくはデジタル信号処理部２８を介して入力され、デジタル信号処理部２８に渡すまで一時的に撮影直後のデジタルデータを格納する。キー操作部２７は、シャッタボタン６を含め、記録／再生モードの切り換えキー、十字キー、メニューキー等からなり、特に、本実施形態では、構図情報を選択したり、被写体の撮影位置を指定する際に用いられる（構図選択手段に相当する）。デジタル信号処理部２８は、アナログ信号処理部１５を介して入力されたデジタルデータ（非圧縮のＲＡＷイメージデータ）に対して、ホワイトバランス処理、色処理、階調処理、輸郭強調を行なう。画像圧縮／伸張処理部２９は、デジタル信号処理部２８を介して入力されたデジタルデータ（非圧縮のＲＡＷイメージデータ）をＪＰＥＧ方式に圧縮符号化したり、再生モードにおいては、ＪＰＥＧ形式のファイルを伸張する。
【００４４】
プログラムメモリ３０は、制御部２０にロードされる各種プログラムや、ベストショット機能におけるＥＶ値、色補正情報、被写体の撮影フレーム内における撮影位置（立ち位置）を示す構図情報等の各種をテーブル単位で格納する（構図情報記憶手段に相当する）。また、ＤＣＦ規格に準拠されているファイルに埋め込むべき各種情報も記憶している。画像メモリ３１は、各種ファイル形式に変換されたデジタルデータを格納する。カードＩ／Ｆ３２は、外部記録媒体３３と撮像装置本体との間のデータ交換を制御する。外部記録媒体３３は、コンパクトフラッシュ（登録商標）、メモリースティック、ＳＤカード等からなる。なお、本実施形態では、ベストショット機能としてロードされる各種制御情報を独自ファイル形式で格納している場合もある。外部接続用Ｉ／Ｆ３４は、ＵＳＢコネクター用スロットなどからなり、パーソナルコンピュータなどと接続され、撮影した画像データの転送などに用いられる。
【００４５】
ＬＥＤドライバ３５は、制御部２０による制御に従って、本体正面に配設されている移動指示用ＬＥＤ５ａ〜５ｄの点灯、消灯、点滅を制御する。
【００４６】
Ｂ．実施形態の動作
次に、上述した実施形態の動作について説明する。ここで、図４は、デジタルカメラ１のセルフタイマ撮影時における動作を説明するためのフローチャートである。また、図５（ａ）〜（ｃ）は、デジタルカメラのセルフタイマ撮影時において、予め選択された構図情報に従って、被写体に対して、被写体の立ち位置を指示する移動指示用ＬＥＤ５ａ〜５ｄの動作例を示す模式図である。
【００４７】
まず、デジタルカメラ１では、セルフタイマ撮影モードであるか否かを判断する（Ｓ１０）。そして、セルフタイマ撮影モードでなければ、通常の撮影動作へ進む。一方、セルフタイマ撮影モードであれば、セルフタイマをオンとする（Ｓ１２）。次に、所望する構図に合う、被写体の立ち位置やズーム度合いなどが明示された構図情報（図２（ａ）〜（ｅ）参照）をユーザに選択させ、選択された構図情報を設定する（Ｓ１４）。
【００４８】
次に、シャッタボタン６が押下されたか否かを判断する（Ｓ１６）。ここで、撮影者がデジタルカメラの向きや撮影条件（ズームなど）をセットし、シャッタボタン６を押下すると、タイマ２１によるセルフタイマ時間（例えば、５秒〜１０秒などの一定時間）の計時をスタートする（Ｓ１８）。次に、スルー画像を元に画像認識処理などにより、被写体の位置を認識する（Ｓ２０）。
【００４９】
そして、被写体の位置と選択された構図情報による構図とが合致したか否かを判断する（Ｓ２２）。ここで、被写体の位置と選択された構図とが一致していない場合には、タイマ２１によるセルフタイマがタイムアップ（一定時間経過）したか否かを判断する（Ｓ２４）。そして、セルフタイマがタイムアップ（一定時間経過）していない場合には、移動指示用ＬＥＤ５ａ〜５ｄにより被写体の位置を指示する（Ｓ２６）。
【００５０】
例えば、被写体の位置が構図に対して右寄りに位置する場合には、図５（ａ）に示すように、移動指示用ＬＥＤ５ｄを点灯させて、被写体に左へ移動するように指示する。また、被写体の位置が構図に対して左奥に位置する場合には、図５（ｂ）に示すように、移動指示用ＬＥＤ５ｂ，５ｃを点灯させて、被写体に右手前へ移動するように指示する。あるいは、被写体の位置が構図に対して、左右方向がＯＫであるが前寄りに位置する場合には、図５（ｃ）に示すように、移動指示用ＬＥＤ５ｂ，５ｄを点滅させるとともに、移動指示用ＬＥＤ５ａを点灯させて、被写体に後方へ移動するように指示する。
【００５１】
上述したステップＳ２０〜Ｓ２６の処理は、被写体の位置が構図に合致するか、タイムアップ（一定時間経過）するまで行う。そして、被写体の位置が構図に合致した場合には、セルフタイマをリセットし（Ｓ２８）、構図合致から撮影までの時間（例えば、２、３秒などの所定時間）を計時するタイマをスタートする（Ｓ３０）。次に、移動指示用ＬＥＤ５ａ〜５ｄを全て点滅させて、被写体の位置が構図に合致したことを報知し（Ｓ３２）、上記タイマがタイムアップ（所定時間経過）した否かを判断する（Ｓ３４）。そして、タイムアップ（所定時間経過）していない場合には、ステップＳ３２へ戻り、被写体の位置が構図に合致したことを報知し続ける。一方、タイムアップ（所定時間経過）すると、シャッタ１２を開放して撮影を行う（Ｓ３６）。
【００５２】
また、被写体の位置が構図に合致することなく、セルフタイマがタイムアップ（一定時間経過）した場合には（Ｓ２４でＹＥＳ）、そのままシャッタ１２を開放し、撮影を行う（Ｓ３６）。
【００５３】
上述した実施形態によれば、撮影者自身が被写体となるような場合（自分撮り）においても、シャッタボタン６を押下した後、撮影者がいない状況においても、移動指示用ＬＥＤ５ａ〜５ｄを点灯して移動方向（前後左右、斜め方向）を指示するので、被写体（＝撮影者）を構図に合致する立ち位置に誘導することができる。また、被写体の立ち位置が構図に合致したら撮影するので、容易に所定の構図で撮影することができる。
【００５４】
Ｃ．第１の変形例
次に、本発明の第１の変形例について説明する。ここで、図６は、本第１の変形例によるデジタルカメラの構成、および移動指示例を示す模式図である。上述した実施形態では、移動指示用ＬＥＤ５ａ〜５ｄを四方向を示す矢印型の発光手段により構成したが、この形態に限らず、図６（ａ）に示すように、レンズ２の周囲を４分割した移動指示用ＬＥＤ５１ａ〜５１ｄを配設するようにしてもよい。被写体に対する移動指示は、手前に移動指示する場合には、図６（ｂ）に示すように、移動指示用ＬＥＤ５１ｃのみを点灯させ、右後方へ移動指示する場合には、図６（ｃ）に示すように、移動指示用ＬＥＤ５１ａ，５１ｂを点灯させる。また、前後位置がＯＫであるものの右へ移動指示する場合には、図６（ｄ）に示すように、移動指示用ＬＥＤ５１ａ，５１ｃを点滅させ、かつ移動指示用ＬＥＤ５１ｂを点灯させる。さらに、前後左右全てＯＫである場合には、図６（ｅ）に示すように、全ての移動指示用ＬＥＤ５１ａ〜５１ｄを点滅させる。
【００５５】
Ｄ．第２の変形例
次に、本発明の第２の変形例について説明する。ここで、図７は、本第２の変形例によるデジタルカメラの構成、および移動指示例を示す模式図である。本第２の変形例では、図７（ａ）に示すように、レンズ２の横に小型の液晶表示部５２を配設している。被写体に対する移動指示は、手前に移動指示する場合には、図７（ｂ）に示すように、液晶表示部５２に下方向に向いた矢印５２ａを表示し、右後方へ移動指示する場合には、図７（ｃ）に示すように、右上方向へ向いた矢印５２ｂを表示する。また、前後位置がＯＫであるものの左へ移動指示する場合には、図７（ｄ）に示すように、上下方向へ向いた矢印５２ｃ，５２ｄを点滅表示し、かつ左方向へ向いた矢印５２ｅを表示する。さらに、前後左右全てＯＫである場合には、図７（ｅ）に示すように、上下左右に向いた矢印５２ｆ〜５２ｉの全てを点滅表示する。
【００５６】
また、該第２の変形例では、液晶表示器を用いているので、図７（ｆ）〜（ｉ）に示すように、移動方向をテキスト文で表示することも可能である。図示の例では、図７（ｆ）では、少し前に移動指示する場合には、「少し前に」と表示し、右斜め後方へ移動指示する場合には、図７（ｇ）に示すように、「右斜め後ろへ」と表示する。また、前後位置がＯＫであるものの右へ移動指示する場合には、図７（ｈ）に示すように、「前後ＯＫ  右へ」と表示する。さらに、前後左右全てＯＫである場合には、図７（ｉ）に示すように、「撮影します  ３，２，１，，」と表示する。なお、図７（ｉ）におけるカウントダウンの数字をタイマ２０の残時間に同期させて表示させることで、被写体に対して撮影タイミングを報知することができる。
【００５７】
なお、上述した実施形態においては、被写体が構図に合致した場合（図４のステップＳ２２の「ＹＥＳ」）、ステップＳ３２で、構図が一致した旨を報知しつつ、被写体にポーズをとる余裕を与えるべく、ステップＳ３４で、タイマがタイムアップ（所定時間経過）するまで待機したが、これに限らず、被写体が構図に合致すると、直ちに、ステップＳ３２で一致した旨を報知すると同時に、ステップＳ３６で撮影するようにしてもよい。
【００５８】
また、上述した実施形態または第１、第２の変形例においては、被写体の立ち位置を示す構図情報を、予め決められた複数のパターンから選択するようにしたが、これに限らず、カーソルキーの操作や、タッチパネルで、直接、画面上の任意の位置を指示するようにしてもよい。
【００５９】
また、上述した実施形態または第１、第２の変形例においては、被写体の立ち位置を、移動指示用ＬＥＤ５ａ〜５ｄや、移動指示用ＬＥＤ５１ａ〜５１ｄ、液晶表示部５２などを用いて指示したが、これに限らず、あるいはこれらと併用して、音声で前後左右、斜め方向への移動を指示するようにしてもよい。また、上述した実施形態または第１、第２の変形例においては、被写体が構図に合致した旨を、移動指示用ＬＥＤ５ａ〜５ｄや、移動指示用ＬＥＤ５１ａ〜５１ｄ、液晶表示部５２などを用いて報知したが、これに限らず、あるいはこれらと併用して、音声で報知するようにしてもよい。
【００６０】
また、上述した実施形態または第１、第２の変形例においては、被写体の立ち位置を画像認識技術で認識するようにしたが、これに限らず、赤外線などによる測距技術などを用いて被写体の位置、構図を認識するようにしてもよい。特に、従来からの勘光フィルムを用いる銀塩カメラでは、複数の赤外線光源を用いることで、被写体の位置、構図を認識することができるので有効である。
【００６１】
また、上述した実施形態または第１、第２の変形例では、構図が合致した場合に自動的に撮影を実行するようにしたが、セルフタイマがタイムアップした場合にのみ自動的に撮影を実行するようにしてもよい。つまり、図４のＳ２２、Ｓ２８、Ｓ３０、Ｓ３４はなくてもよい。あるいは、被写体を立ち位置まで誘導して構図が合致した場合のみ撮影するようにしてもよい。
また、上述した実施形態または第１、第２の変形例では、被写体の立ち位置を複数の中から選択（任意に指示）可能にしたが、被写体の立ち位置を示す標準的な構図情報を１つのみ固定記憶しておき、これのみを使用可能にしてもよい。
また、上述した実施形態または第１、第２の変形例では、構図が合致した場合に自動的に撮影を実行するようにしたが、誘導して構図が合致したことを確認した被写体自身がリモコンで撮影を指示して撮影するようにしてもよい。
【図面の簡単な説明】
【００６２】
【図１】本発明の実施形態によるデジタルカメラの外観を示す正面図である。
【図２】デジタルカメラ１における複数の構図情報の一例を示す概念図である。
【図３】デジタルカメラ１の構成を示すブロック図である。
【図４】デジタルカメラ１のセルフタイマ撮影時における動作を説明するためのフローチャートである。
【図５】デジタルカメラのセルフタイマ撮影時における移動指示用ＬＥＤ５ａ〜５ｄの動作例を示す模式図である。
【図６】本第１の変形例によるデジタルカメラの構成、および移動指示例を示す模式図である。
【図７】本第２の変形例によるデジタルカメラの構成、および移動指示例を示す模式図である。
【符号の説明】
【００６３】
１  デジタルカメラ
２  レンズ
３  フラッシュ
４  ファインダ
５ａ〜５ｄ  移動指示用ＬＥＤ（移動方向指示手段、移動完了報知手段、複数の発光手段、複数の矢印型発光手段）
６  シャッタボタン
１０  画像取得部（撮影手段）
１１  レンズ
１２  シャッタ
１４  ドライバ
１５  アナログ信号処理部
１６  撮像センサ
１７  サンプリング／信号増幅処理部
１８  Ａ／Ｄコンバータ
２０  制御部（位置特定手段、判別手段、撮影制御手段）
２１  タイマ
２２  プレビューエンジン
２３  Ｄ／Ａコンバータ
２４  ドライバ
２５  表示部
２６  イメージバッファ
２７  キー操作部（撮影位置指定手段、構図選択手段、撮影位置指示手段）
２８  デジタル信号処理部
２９  画像圧縮／伸張処理部
３０  プログラムメモリ（構図情報記憶手段）
３１  画像メモリ
３２  カードＩ／Ｆ
３３  外部記録媒体
３４  外部接続用Ｉ／Ｆ
３５  ＬＥＤドライバ（移動方向指示手段、移動完了報知手段）
５１ａ〜５１ｄ  移動指示用ＬＥＤ（移動方向指示手段、移動完了報知手段、複数の発光手段、環状発光手段）
５２  液晶表示部（移動方向指示手段、移動完了報知手段、文字表示手段）
５２ａ〜５２ｉ  矢印
【図１】
2005167789.tif 000003
【図２】
2005167789.tif 000004
【図３】
2005167789.tif 000005
【図４】
2005167789.tif 000006
【図５】
2005167789.tif 000007
【図６】
2005167789.tif 000008
【図７】
2005167789.tif 000009